(57)【特許請求の範囲】
【請求項１】
被検体に向けて放射線を照射する放射線源と、
放射線を受けて放射線画像を検出する複数種の放射線画像検出装置と、
各放射線画像検出装置を選択使用したときの撮影に使用する管電流、および照射時間を少なくとも含む撮影条件を複数種比較可能に表示する表示手段と、
ある放射線画像検出装置の感度を基準として規格化した感度係数を取得する情報取得手段と、
ある放射線画像検出装置を選択使用したときの基準の撮影条件と感度係数に基づき、ある放射線画像検出装置以外の放射線画像検出装置を選択使用したときの撮影条件を算出する算出手段とを備え、
前記表示手段は、算出手段で算出した撮影条件を表示することを特徴とする放射線撮影システム。
【請求項２】
前記算出手段は、基準の撮影条件のうちの照射時間に、放射線画像検出装置の感度係数を乗算することを特徴とする請求項１に記載の放射線撮影システム。
【請求項３】
照射時間の算出結果と管電流の積が放射線源に設定可能な最大値以上または最小値以下となった場合、前記算出手段は管電流照射時間積が最大値または最小値に止まるよう照射時間をクリップすることを特徴とする請求項２に記載の放射線撮影システム。
【請求項４】
照射時間の算出結果が最小値以下となった場合、前記算出手段は、照射時間を最小値にクリップしたうえで管電流を下げることを特徴とする請求項３に記載の放射線撮影システム。
【請求項５】
前記表示手段は、各放射線画像検出装置を選択使用したときの撮影条件とともに基準の撮影条件も比較可能に表示することを特徴とする請求項１ないし４のいずれか一項に記載の放射線撮影システム。
【請求項６】
基準の撮影条件と、前記算出手段で算出したある放射線画像検出装置以外の放射線画像検出装置を選択使用したときの撮影条件を記憶する記憶手段を備えることを特徴とする請求項１ないし５のいずれか一項に記載の放射線撮影システム。
【請求項７】
ある放射線画像検出装置は、複数種の放射線画像検出装置の中で最も感度が低いものであることを特徴とする請求項１ないし６のいずれか一項に記載の放射線撮影システム。
【請求項８】
放射線の累積線量が目標値に達したら放射線の照射を停止させる自動露出制御機能をもつ放射線画像検出装置が選択使用された場合、前記表示手段は、照射時間が最大値に設定される自動露出制御機能がＯＮのときの撮影条件、算出手段で算出した自動露出制御機能がＯＦＦのときの撮影条件、および実際の撮影における管電流および照射時間の実績値を比較可能に表示することを特徴とする請求項１ないし７のいずれか一項に記載の放射線撮影システム。
【請求項９】
前記表示手段は、各放射線画像検出装置を選択使用したときの撮影条件とともに所望の放射線画像検出装置を選択するためのＧＵＩを表示することを特徴とする請求項１ないし８のいずれか一項に記載の放射線撮影システム。
【請求項１０】
前記表示手段は、ＧＵＩで選択された放射線画像検出装置の撮影条件を他と区別して表示することを特徴とする請求項９に記載の放射線撮影システム。
【請求項１１】
放射線を受けて放射線画像を検出する放射線画像検出装置であり、他の複数種の放射線画像検出装置と選択使用される放射線画像検出装置であって、
各放射線画像検出装置を選択使用したときの撮影に使用する管電流、および照射時間を少なくとも含む撮影条件を複数種比較可能に表示する第一表示手段を備え、
前記第一表示手段は、ある放射線画像検出装置を選択使用したときの基準の撮影条件と、ある放射線画像検出装置の感度を基準として規格化した感度係数に基づき算出された、ある放射線画像検出装置以外の放射線画像検出装置を選択使用したときの撮影条件を表示することを特徴とすることを特徴とする放射線画像検出装置。
【請求項１２】
選択された旨を表示する第二表示手段を備えることを特徴とする請求項１１に記載の放射線画像検出装置。
【請求項１３】
放射線の到達線量に応じた電荷を蓄積する画素が配列された検出パネルが可搬型の筐体に収納された電子カセッテであることを特徴とする請求項１１または１２に記載の放射線画像検出装置。
【発明の詳細な説明】
【技術分野】
【０００１】
本発明は、放射線撮影システム、並びに放射線画像検出装置に関する。
【背景技術】
【０００２】
医療分野において、放射線、例えばＸ線を利用したＸ線撮影システムが知られている。Ｘ線撮影システムは、Ｘ線を被検体（患者）に向けて照射するＸ線源、被検体を透過したＸ線を受けてＸ線画像を検出するＸ線画像検出装置、Ｘ線源とＸ線画像検出装置の駆動を制御する線源制御装置とコンソール、並びにＸ線の照射開始指示を入力するための照射スイッチを有している。
【０００３】
最近のＸ線撮影システムの分野では、Ｘ線フイルムやイメージングプレート（ＩＰ）に代わり、フラットパネルディテクタ（ＦＰＤ；flat panel detector）を検出パネルとして用いたＸ線画像検出装置が普及している。ＦＰＤには、Ｘ線の到達線量に応じた信号電荷を蓄積する画素がマトリックス状に配列されている。ＦＰＤは、画素毎に信号電荷を蓄積し、蓄積した信号電荷を信号処理回路で電圧信号に変換することで、被検体の画像情報を表すＸ線画像を検出し、これをデジタルな画像データとして出力する。
【０００４】
ＦＰＤを直方体形状の筐体に内蔵した電子カセッテ（可搬型のＸ線画像検出装置）も実用化されている。電子カセッテは、撮影台に据え付けられて取り外し不可なタイプと違って、フイルムカセッテやＩＰカセッテ用の既存の撮影台や専用の撮影台に着脱可能に取り付けて使用される他、据え付け型では撮影困難な部位を撮影するためにベッド上に置いたり被検体自身に持たせたりして使用される。また、自宅療養中の高齢者や、事故、災害等による急病人を撮影するため、撮影台の設備がない病院外に持ち出して使用されることもある。
【０００５】
ところで、病院では立位撮影用と臥位撮影用に電子カセッテを二台揃え、撮影時に使用する電子カセッテを選択したりしている。また、新しい電子カセッテを購入した後も、その前に使っていた電子カセッテ、あるいはフイルムカセッテやＩＰカセッテを併用していることが多い。
【０００６】
このように複数のＸ線画像検出装置を扱う際の利便性を高めるため、特許文献１では、Ｘ線画像検出装置（センサユニット）からＸ線に対する感度等の情報（センサユニット情報）を受信し、この情報に基づき管電圧、管電流、ｍＡｓ値等の撮影条件（制御パラメータ、撮影パラメータ）を自動設定している。そして、感度が異なるＸ線画像検出装置を交換したときに、撮影条件の表示を変更している。特許文献２には、複数のＸ線画像検出装置（医用画像撮影装置、リーダ）の撮影部位等の撮影動作状態をコンソールの画面内に並列表示することが記載されている。
【先行技術文献】
【特許文献】
【０００７】
【特許文献１】特開２０１２−０１１２０７号公報
【特許文献２】特開２００４−０７３４６２号公報
【発明の概要】
【発明が解決しようとする課題】
【０００８】
Ｘ線画像検出装置は、検出パネルがフイルムやＩＰからＦＰＤへと進化するとともに高感度化も達成され、低い線量でも従来と同様かそれ以上に鮮明なＸ線画像を得ることが可能になってきている。そしてＸ線画像検出装置の高感度化と昨今の患者への被曝量低減の趨勢に伴い、できるだけ低い線量で撮影を行うことが医療施設にも求められている。
【０００９】
特許文献１では、Ｘ線画像検出装置を交換したときに撮影条件の表示が切り替わるため、そのＸ線画像検出装置が他と比べて低線量撮影に向いているかどうかを判断することができない。また、今まで使用していたＸ線画像検出装置を新しいものに交換したときに急に撮影条件の表示が変更されると放射線技師等のオペレータが戸惑ってしまう。
【００１０】
本発明は、上記課題を鑑みてなされたもので、複数種の放射線画像検出装置の中から低線量撮影に適したものを確実に選択することが可能で、かつ撮影条件の妥当性を確認することが可能な放射線撮影システム、並びに放射線画像検出装置を提供することを目的とする。
【課題を解決するための手段】
【００１１】
上記目的を達成するために、本発明の放射線撮影システムは、被検体に向けて放射線を照射する放射線源と、放射線を受けて放射線画像を検出する複数種の放射線画像検出装置と、各放射線画像検出装置を選択使用したときの撮影に使用する管電流、および照射時間を少なくとも含む撮影条件を複数種比較可能に表示する表示手段とを備えることを特徴とする。なお、管電流と照射時間をそれぞれ別個に表示してもよいし、管電流と照射時間を積算した管電流照射時間積（ｍＡｓ値）を表示してもよい。
【００１２】
各放射線画像検出装置の放射線に対する感度の情報を取得する情報取得手段と、情報取得手段で取得した感度の情報に基づき、各放射線画像検出装置を選択使用したときの撮影条件を算出する算出手段とをさらに備え、表示手段は、算出手段で算出した撮影条件を表示する。情報取得手段は、例えばオペレータからの感度の情報の入力を受け付ける入力デバイス、または外部から送信される感度の情報を受信する通信Ｉ／Ｆである。
【００１３】
情報取得手段は、ある放射線画像検出装置の感度を基準として規格化した感度係数を取得し、算出手段は、ある放射線画像検出装置を選択使用したときの基準の撮影条件と感度係数に基づき、ある放射線画像検出装置以外の放射線画像検出装置を選択使用したときの撮影条件を算出する。より具体的には、算出手段は、基準の撮影条件のうちの照射時間に、放射線画像検出装置の感度係数を乗算する。
【００１４】
照射時間の算出結果と管電流の積が放射線源に設定可能な最大値以上または最小値以下となった場合、算出手段は管電流照射時間積が最大値または最小値に止まるよう照射時間をクリップする。あるいは、照射時間の算出結果が最小値以下となった場合、算出手段は、照射時間を最小値にクリップしたうえで管電流を下げる。
【００１５】
表示手段は、各放射線画像検出装置を選択使用したときの撮影条件とともに基準の撮影条件も比較可能に表示する。
【００１６】
基準の撮影条件と、算出手段で算出したある放射線画像検出装置以外の放射線画像検出装置を選択使用したときの撮影条件を記憶する記憶手段を備えていてもよい。
【００１７】
ある放射線画像検出装置は、複数種の放射線画像検出装置の中で最も感度が低いものである。
【００１８】
放射線の累積線量が目標値に達したら放射線の照射を停止させる自動露出制御機能をもつ放射線画像検出装置が選択使用された場合、表示手段は、照射時間が最大値に設定される自動露出制御機能がＯＮのときの撮影条件、算出手段で算出した自動露出制御機能がＯＦＦのときの撮影条件、および実際の撮影における管電流および照射時間の実績値を比較可能に表示する。
【００１９】
また、表示手段は、各放射線画像検出装置を選択使用したときの撮影条件とともに所望の放射線画像検出装置を選択するためのＧＵＩを表示する。この場合、表示手段は、ＧＵＩで選択された放射線画像検出装置の撮影条件を他と区別して表示する。
【００２０】
なお、表示手段等は放射線画像検出装置の駆動を制御するコンソールに設けてもよいし、放射線源の駆動を制御する線源制御装置に設けてもよい。あるいは、放射線画像検出装置自体に設けてもよい。
【００２１】
放射線を受けて放射線画像を検出する放射線画像検出装置であり、他の複数種の放射線画像検出装置と選択使用される放射線画像検出装置であって、各放射線画像検出装置を選択使用したときの撮影に使用する管電流、および照射時間を少なくとも含む撮影条件を複数種比較可能に表示する第一表示手段を備えることを特徴とする。
【００２２】
選択された旨を表示する第二表示手段を備えることが好ましい。また、放射線の到達線量に応じた電荷を蓄積する画素が配列された検出パネルが可搬型の筐体に収納された電子カセッテであることが好ましい。
【発明の効果】
【００２３】
本発明によれば、複数種の放射線画像検出装置を選択使用する場合、各放射線画像検出装置を選択使用したときの撮影に使用する管電流、および照射時間を少なくとも含む撮影条件を複数種比較可能に表示するので、複数種の放射線画像検出装置の中から低線量撮影に適したものを確実に選択することが可能で、かつ撮影条件の妥当性を確認することが可能となる。
【図面の簡単な説明】
【００２４】
【図１】Ｘ線撮影システムの構成を示す概略図である。
【図２】コンソールを構成するコンピュータを示すブロック図である。
【図３】撮影条件テーブルを示す図である。
【図４】感度係数テーブルを示す図である。
【図５】コンソールの内部構成を示すブロック図である。
【図６】撮影条件一覧／装置選択ウィンドウを示す図である。
【図７】Ｘ線撮影システムにおいてＸ線撮影を開始するまでの手順を示すフローチャートである。
【図８】撮影条件一覧を表示する液晶ディスプレイを備えた電子カセッテを示す外観斜視図である。
【図９】ＡＥＣ確認ウィンドウを示す図である。
【発明を実施するための形態】
【００２５】
図１において、Ｘ線撮影システム２は、Ｘ線を放射するＸ線管を内蔵したＸ線源１０と、Ｘ線源１０の動作を制御する線源制御装置１１と、Ｘ線の照射開始を指示するための照射スイッチ１２と、被検体である患者を透過したＸ線を検出してＸ線画像を出力する電子カセッテ１３ａ、１３ｂ、ＩＰカセッテ（ＣＲカセッテとも呼ばれる）１４と、電子カセッテ１３ａ、１３ｂの動作制御やＸ線画像の画像処理を担うコンソール１５とを有する。この他にも患者を立位姿勢で撮影するための立位撮影台、臥位姿勢で撮影するための臥位撮影台、Ｘ線源１０を所望の方向および位置にセットするための線源移動装置やＩＰカセッテ１４に担持されたＸ線画像を読み取る画像読取装置（ともに図示せず）等が設けられている。Ｘ線源１０は電子カセッテ１３ａ、１３ｂ、ＩＰカセッテ１４の三台のＸ線画像検出装置で共用される。
【００２６】
線源制御装置１１は、照射スイッチ１２からの操作信号に応じてＸ線源１０に電力供給を開始し、Ｘ線源１０からＸ線を照射させる。Ｘ線の照射を開始してから予め設定した撮影条件の照射時間に達したとき、線源制御装置１１はＸ線源１０への電力供給を停止し、Ｘ線の照射を停止させる。
【００２７】
電子カセッテ１３ａ、１３ｂは、周知のＦＰＤとＦＰＤを収容する可搬型の筐体とからなる。ＩＰカセッテ１４もイメージングプレートを筐体で覆った従来周知の構成を有する。電子カセッテ１３ａ、１３ｂは性能が異なり、例えば電子カセッテ１３ａが新規に購入したもので、電子カセッテ１３ｂよりもＸ線に対する感度が高い。ＩＰカセッテ１４は例えば電子カセッテ１３ａ、１３ｂの購入前にあった最古参のもので、これら三台のＸ線画像検出装置の中ではＸ線に対する感度が最も低い。このため、同じ管電圧、管電流をＸ線源１０のＸ線管に与えてＸ線を照射した場合、同等のＸ線画像の画質を得るために要するＸ線の照射時間は電子カセッテ１３ａが最も短く、ＩＰカセッテ１４が最も長い。これら三台のＸ線画像検出装置のうちいずれを使用して撮影するかはコンソール１５で選択する。図では電子カセッテ１３ａがコンソール１５に接続され、電子カセッテ１３ａで撮影を行う状態が示されている。
【００２８】
電子カセッテ１３ａ、１３ｂには、Ｘ線の照射開始、終了を判定する機能が備わっている。Ｘ線の照射開始と判定した場合、ＦＰＤは電荷蓄積動作を開始し、終了と判定した場合読み出し動作に移行する。
【００２９】
コンソール１５は、有線方式や無線方式により電子カセッテ１３ａ、１３ｂ、ＩＰカセッテ１４用の画像読取装置と通信可能に接続されており、入力デバイス１６を介したオペレータからの入力操作に応じて電子カセッテ１３ａ、１３ｂ、画像読取装置の動作を制御する。電子カセッテ１３ａ、１３ｂと画像読取装置とからのＸ線画像はコンソール１５のディスプレイ１７に表示される他、そのデータがコンソール１５内のメモリ２１やストレージデバイス２２（ともに図２参照）、あるいはコンソール１５とネットワーク接続された画像蓄積サーバといったデータストレージに記憶される。なお、入力デバイス１６は、キーボードやマウス、あるいはディスプレイ１７と一体となったタッチパネル等である。
【００３０】
コンソール１５は、患者の性別、年齢、撮影部位、撮影目的といった情報が含まれる検査オーダの入力を受け付けて、検査オーダをディスプレイ１７に表示する。検査オーダは、ＨＩＳ（病院情報システム）やＲＩＳ（放射線情報システム）といった患者情報や放射線検査に係る検査情報を管理する外部システムから入力されるか、オペレータにより手動入力される。検査オーダには、頭部、胸部、腹部等の撮影部位、正面、側面、斜位、ＰＡ（Ｘ線を患者の背面から照射）、ＡＰ（Ｘ線を患者の正面から照射）といった撮影方向が含まれる。オペレータは、検査オーダの内容をディスプレイ１７で確認し、その内容に応じた撮影部位をディスプレイ１７に映された操作画面を通じて入力する。なお、以下の説明では撮影部位と撮影方向をまとめて撮影部位という。
【００３１】
図２において、コンソール１５を構成するコンピュータは、上述の入力デバイス１６、ディスプレイ１７の他に、ＣＰＵ２０、メモリ２１、ストレージデバイス２２、および通信Ｉ／Ｆ２３を備えている。これらはデータバス２４を介して相互接続されている。
【００３２】
ストレージデバイス２２は、例えばハードディスクドライブである。ストレージデバイス２２には、制御プログラムやアプリケーションプログラム２５が記憶される。アプリケーションプログラム２５は、検査オーダやＸ線画像の表示処理、Ｘ線画像に対する画像処理、撮影条件の設定等、Ｘ線撮影に関する様々な機能をコンソール１５に実行させるためのプログラムである。
【００３３】
メモリ２１は、ＣＰＵ２０が処理を実行するためのワークメモリである。ＣＰＵ２０は、ストレージデバイス２２に記憶された制御プログラムをメモリ２１へロードして、プログラムに従った処理を実行することにより、コンピュータの各部を統括的に制御する。通信Ｉ／Ｆ２３は、ＲＩＳ、ＨＩＳ、画像蓄積サーバ、電子カセッテ１３ａ、１３ｂ、画像読取装置等の外部装置との伝送制御を行うネットワークインターフェースである。
【００３４】
コンソール１５のストレージデバイス２２には、図３に示す撮影条件テーブル３０と図４に示す感度係数テーブル３５が格納されている。
【００３５】
図３において、撮影条件テーブル３０には、撮影条件としてＸ線源１０のＸ線管の管電圧、管電流、およびＸ線の照射時間が撮影部位毎に記憶されている。撮影条件テーブル３０に記憶された撮影条件は、電子カセッテ１３ａ、１３ｂ、ＩＰカセッテ１４の三台のＸ線画像検出装置のうちＸ線に対する感度が最も低く最古参のＩＰカセッテ１４用のものである。撮影条件テーブル３０は予めストレージデバイス２２に格納されている（ＩＰカセッテ１４とコンソール１５をペアで購入した場合）か、通信Ｉ／Ｆ２３を介して外部からダウンロードされる。
【００３６】
図４において、感度係数テーブル３５には、電子カセッテ１３ａ、１３ｂ、ＩＰカセッテ１４の三台のＸ線画像検出装置それぞれのＤＱＥ（Detective Quantum Efficiency；検出量子効率）と、これを最も感度が低いＸ線画像検出装置を基準として規格化した感度係数とが検出装置種別毎に記憶されている。ＤＱＥは１が最大であるため、上にも説明した通りＩＰカセッテ１４（検出装置種別：ＩＰ）が０．２５と最も感度が低く、次いで電子カセッテ１３ｂ（検出装置種別：ＤＲ２）がその２倍の０．５、電子カセッテ１３ａ（検出装置種別：ＤＲ１）がさらに３倍の０．７５と最も感度が高い。感度係数は、最も感度が低いＩＰカセッテ１４を基準とした感度の倍率の逆数であるので、本例ではＩＰカセッテ１４の感度係数が基準の１、電子カセッテ１３ｂが１／２、電子カセッテ１３ａが１／３となる。
【００３７】
ＤＱＥの情報は、オペレータにより入力デバイス１６を介して手入力される。あるいは、各Ｘ線画像検出装置のメモリにＤＱＥの情報を記憶させておき、Ｘ線画像検出装置をコンソール１５に初めて接続したときにＤＱＥの情報をメモリから通信Ｉ／Ｆ２３を介してコンソール１５に吸い上げてもよい。さらには、Ｘ線画像検出装置の製品情報をデータアップロード形式で提供するホームページにアクセスして、通信Ｉ／Ｆ２３からネットワーク経由でＤＱＥの情報を入手してもよい。感度係数は取得したＤＱＥを元に計算される。ＤＱＥではなくＮＥＱ（Noise Equivalent Quanta；雑音等価量子数）や感度係数そのものを取り込んでもよい。
【００３８】
検出装置種別は、本例のＩＰ、ＤＲ１、ＤＲ２のようにオペレータが各Ｘ線画像検出装置を区別可能に名付けて登録してもよいし、各Ｘ線画像検出装置の型式、製造番号、型番、ロット番号といったＸ線画像検出装置を一意に識別する文字列としてもよい。
【００３９】
図５において、コンソール１５のＣＰＵ２０は、アプリケーションプログラム２５を起動すると、撮影条件算出部４０および入出力制御部４１として機能する。撮影条件算出部４０は、感度係数テーブル３５の各Ｘ線画像検出装置の感度係数の情報に基づき、ＩＰカセッテ１４用である撮影条件テーブル３０の撮影条件を電子カセッテ１３ａ、１３ｂ用に補正する。
【００４０】
撮影条件算出部４０は、入力デバイス１６を介して入力された撮影部位と一致する撮影条件をストレージデバイス２２の撮影条件テーブル３０から読み出す。本例の場合、撮影部位が胸部ＰＡであれば管電圧１３０ｋＶ、管電流１００ｍＡ、照射時間３０ｍｓｅｃが読み出される。また、撮影条件算出部４０は、ストレージデバイス２２の感度係数テーブル３５から、全Ｘ線画像検出装置の感度係数を読み出す。
【００４１】
撮影条件算出部４０は、各Ｘ線画像検出装置の感度係数を、撮影条件テーブル３０から読み出した撮影条件のうちの照射時間に乗算する。本例の場合、撮影部位が胸部ＰＡであれば照射時間３０ｍｓｅｃに１／３、１／２を乗算して１０ｍｓｅｃ、１５ｍｓｅｃとし、１０ｍｓｅｃを電子カセッテ１３ａ用、１５ｍｓｅｃを電子カセッテ１３ｂ用の撮影条件として算出する。
【００４２】
照射時間の算出結果と管電流の積、つまり管電流照射時間積（ｍＡｓ値）が線源制御装置１１で設定可能な最大値以上となった場合、あるいは最小値以下となった場合、撮影条件算出部４０は、管電流照射時間積が最大値または最小値に止まるよう照射時間をクリップする。あるいは、照射時間の算出結果が最小値以下となった場合は、照射時間を最小値にクリップしたうえで管電流を下げる。照射時間や管電流だけでなく、管電圧を補正してもよい。ただし管電圧を補正するとＸ線の線質が変化するため、ある管電圧で管電流や照射時間を変えたときの線質の変化をテーブルや関係式で情報としてもっておき、この情報に基づきさらに管電流や照射時間を調整する。基本的には照射時間のみの補正で済ませ、止むを得ないときのみ管電圧や管電流を補正することが好ましい。
【００４３】
撮影条件算出部４０は、撮影条件テーブル３０から読み出したＩＰカセッテ１４用の撮影条件とともに、算出した撮影条件の情報を入出力制御部４１に受け渡す。
【００４４】
入出力制御部４１は、入力デバイス１６の操作に応じた画面データをストレージデバイス２２から読み出し、読み出した画面データに基づいて各種操作画面をディスプレイ１７に出力する。入出力制御部４１は、操作画面に配されたＧＵＩを通じて入力デバイス１６からの操作指示の入力を受け付ける。
【００４５】
入出力制御部４１は、入力デバイス１６を介してオペレータにより撮影部位が入力された後、図６に示す撮影条件一覧／装置選択ウィンドウ４５をディスプレイ１７に表示させる。撮影条件一覧／装置選択ウィンドウ４５には、入力された撮影部位の情報とともに、撮影条件テーブル３０のＩＰカセッテ１４用の撮影条件（検出装置種別：ＩＰ）と、撮影条件算出部４０で照射時間が補正された電子カセッテ１３ａ（検出装置種別：ＤＲ１）、１３ｂ（検出装置種別：ＤＲ２）のそれぞれの撮影条件とが一覧表示される。さらに一覧の右側の列４６には、補正の基準となった撮影条件、すなわちＩＰカセッテ１４用の撮影条件が表示される。
【００４６】
電子カセッテ１３ａ、１３ｂ、ＩＰカセッテ１４用のそれぞれの撮影条件の下部には、選択ボタン４７が配されている。選択ボタン４７は、三つのうちのいずれか一つのみをカーソル４８でクリックして選択することが可能である。入出力制御部４１は、網かけで擬似的に示すように、選択ボタン４７が選択された撮影条件を太字で強調表示したり色を変えたりして他と区別して表示する。図では検出装置種別ＤＲ１の電子カセッテ１３ａが選択された状態を示している。
【００４７】
オペレータは、今からＸ線撮影に使用する所望のＸ線画像検出装置の選択ボタン４７をカーソル４８で選択した後、ＯＫボタン４９をカーソル４８でクリックする。これによりＸ線画像検出装置の選択が完了する。また、オペレータは、選択したＸ線画像検出装置の撮影条件を参照して同様の撮影条件を線源制御装置１１に手動設定する。
【００４８】
次に、図７のフローチャートを参照して、Ｘ線撮影システム２においてＸ線撮影を開始するまでの手順を説明する。Ｘ線撮影に先立ち、オペレータは、ディスプレイ１７に表示された検査オーダに応じた撮影部位を入力デバイス１６で選択する（Ｓ（ステップ）１０）。
【００４９】
続いて、Ｓ１０で選択された撮影部位と一致するＩＰカセッテ１４用の撮影条件および全Ｘ線画像検出装置の感度係数がストレージデバイス２２の撮影条件テーブル３０および感度係数テーブル３５から撮影条件算出部４０に読み出される（Ｓ１１）。撮影条件算出部４０では、各Ｘ線画像検出装置の感度係数と撮影条件の照射時間が乗算され、各Ｘ線画像検出装置用に撮影条件が補正される（Ｓ１２）。算出された撮影条件は、ＩＰカセッテ１４用の撮影条件とともに入出力制御部４１に送られる。
【００５０】
次いで入出力制御部４１によって撮影条件一覧／装置選択ウィンドウ４５がディスプレイ１７に表示される（Ｓ１３）。オペレータは撮影条件一覧／装置選択ウィンドウ４５を閲覧し、所望のＸ線画像検出装置の選択ボタン４７を選択してＯＫボタン４９をクリックする（Ｓ１４）。
【００５１】
その後、患者を立位撮影台の前の所定の位置に立たせるか臥位撮影台に仰臥させ、Ｓ１４で選択したＸ線画像検出装置を立位または臥位撮影台にセットし、その高さや水平位置を調節して、患者の撮影部位と位置を合わせる。また、Ｘ線画像検出装置の位置および撮影部位の大きさに応じて、Ｘ線源１０の高さや水平位置、照射野の大きさを調整する。そして撮影条件一覧／装置選択ウィンドウ４５に表示された撮影条件と同様の撮影条件を線源制御装置１１に設定し、照射スイッチ１２を押下してＸ線撮影を開始させる（Ｓ１５）。
【００５２】
以上説明したように、本発明によれば、複数種のＸ線画像検出装置の撮影条件を比較可能に一覧表示するので、オペレータはどのＸ線画像検出装置が低線量撮影に向いているかを確認しながらＸ線画像検出装置を選択することができる。
【００５３】
オペレータはどのＸ線画像検出装置が高感度であるかはある程度把握しているが、実際に他のＸ線画像検出装置と比較してどれだけ低線量撮影を行えるかまでは分からない。また撮影条件は一種類や二種類ではなく相当な数に及ぶため、オペレータには覚えきれない。こうした状況で、選択したＸ線画像検出装置の撮影条件のみを表示すると、比較対象がないため自分では高感度なＸ線画像検出装置を選択したつもりでも本当に低線量撮影が行われるのかどうかという疑念が湧く。また、あるＸ線画像検出装置を新規導入した直後にそのＸ線画像検出装置の撮影条件のみを表示すると、今まで慣れてきた旧来のＸ線画像検出装置の撮影条件から急に表示が変わるので、混乱を招くおそれがある。本発明によればオペレータにこうした疑念を抱かせたり混乱を生じさせるおそれはない。
【００５４】
基準の撮影条件のうちの照射時間に感度係数を乗算するだけでよいので、撮影条件算出部の構成は単純な乗算回路で済み、算出に要する時間も長くは掛からない。また、照射時間が短く補正されるほど、患者の体動によるＸ線画像の劣化を抑制することができる。
【００５５】
各Ｘ線画像検出装置の撮影条件とともに補正の基準となった撮影条件を表示するので、各Ｘ線画像検出装置の撮影条件が妥当であるという安心感と納得感をオペレータに与えることができる。特に、ＩＰカセッテ等の従来からその病院で使用しているＸ線画像検出装置の撮影条件を基準として選定して一緒に表示しておけば、感度係数を乗算する前の照射時間の基準の値が間違っていないことをオペレータが確認することができるし、基準の値から新規導入したＸ線画像検出装置の値がどれだけ変化したのかを確認することができるため、妥当性を評価しやすく安心感も強い。また、選択したＸ線画像検出装置の撮影条件を他と区別して表示するので、選択間違いを防止することができる。
【００５６】
上記実施形態では、感度係数テーブル３５をストレージデバイス２２に格納し、撮影の都度、感度係数に基づき撮影条件算出部４０で撮影条件を算出しているが、撮影部位毎の基準の撮影条件は上記実施形態と同様にストレージデバイス２２に予め格納しておき、入力デバイス１６または通信Ｉ／Ｆ２３経由でＤＱＥまたは感度係数を取得したときに、撮影条件算出部４０で上記実施形態と同様に各Ｘ線画像検出装置の撮影部位毎の撮影条件を算出し、この算出した撮影条件と検出装置種別を関連付けてストレージデバイス２２に格納してもよい。こうすれば、各Ｘ線画像検出装置の撮影条件を格納する分ストレージデバイス２２の容量を圧迫するおそれはあるが、撮影の都度撮影条件を算出する必要はなくなる。
【００５７】
撮影条件一覧を表示する表示手段としては、上記実施形態のコンソールのディスプレイに限らない。線源制御装置に上記実施形態の撮影条件算出部や入出力制御部、撮影条件テーブルと感度係数テーブルを格納するストレージデバイス、ディスプレイと同じ構成をもたせ、線源制御装置のディスプレイに撮影条件一覧を表示しても構わない。また、図８に示す電子カセッテ５５のように、筐体５５ａに小型液晶ディスプレイ５６とボタン５７を設け、基準の撮影条件と撮影条件算出部で算出された撮影条件の情報をコンソールから電子カセッテに送信し、ボタン５７のワンタッチ操作で液晶ディスプレイ５６に撮影条件一覧を表示する構成としてもよい。
【００５８】
また、筐体５５ａの側面にＬＥＤランプ５８やスピーカー５９等の表示手段を設け、コンソール１５で撮影に使用すると選択されたときに該表示手段を作動させてもよい。撮影台に電子カセッテを装着しないまま撮影を行ってしまったり（セットし忘れ）、立位撮影用の電子カセッテを選択した状態で臥位撮影用の電子カセッテにＸ線を照射してしまう（取り違え）等のセットミスを防止することができる。
【００５９】
撮影条件のうち線量に関係するパラメータは管電流および照射時間であるため、少なくともこれらは撮影条件一覧に表示することが好ましい。また、一覧ではなく、各Ｘ線画像検出装置の撮影条件を切替表示してもよい。さらに、Ｘ線画像検出装置の台数は上記実施形態の三台に限らず、二台でもよいし三台以上でもよい。
【００６０】
上記実施形態では、撮影条件の一覧を表示するとともに所望のＸ線画像検出装置を選択させているが、コンソールに接続されたＸ線画像検出装置の種別を自動認識してそのＸ線画像検出装置を選択したものとみなし、手動選択の工程を省略してもよい。
【００６１】
Ｘ線の累積線量が目標値に達したらＸ線の照射を停止させる自動露出制御（ＡＥＣ；Automatic Exposure Control）の機能を電子カセッテが有している場合、目標値に達してＡＥＣによる照射停止の判断がされる前にＸ線の照射が終了して線量不足に陥ることを防ぐために、線源制御装置１１には照射時間の最大値が設定される。このため、ＡＥＣ機能をもつ電子カセッテが他のＸ線画像検出装置よりもＸ線に対する感度が高くても、撮影条件一覧の照射時間が他のＸ線画像検出装置よりも長くなる。こうした表示がされると、ＡＥＣ機能をもつ電子カセッテが他のＸ線画像検出装置よりもＸ線に対する感度が高いことを知っているオペレータに違和感を与え兼ねないため、撮影条件一覧の項にＡＥＣ機能の有無の項を設けてオペレータに報せることが好ましい。
【００６２】
また、ＡＥＣ機能をもつ電子カセッテを選択した場合、照射時間は最大値が設定されるものの、実際はＡＥＣにより最大値よりも短い時間でＸ線の照射が停止される。しかしオペレータはＡＥＣ機能が確かに作動して照射時間が最大値に到る前にＸ線の照射が停止されたかどうかを確認する術がないと不安になる。そこで、Ｘ線撮影終了後に図９に示すＡＥＣ確認ウィンドウ６５をコンソール１５のディスプレイ１７に表示させることが好ましい。
【００６３】
ＡＥＣ確認ウィンドウ６５には、撮影条件の行６６と実績の行６７とが設けられている。行６６はさらにＡＥＣＯＮの行６６ａとＡＥＣＯＦＦの行６６ｂとに分れている。行６６ａには撮影条件一覧でみせたＡＥＣ機能付き電子カセッテの撮影条件と同じ管電流、照射時間の値（照射時間は最大値）が表示される。行６６ｂにはＡＥＣ機能がＯＦＦの場合、つまり撮影条件算出部４０で感度係数に基づきその電子カセッテ用に算出した管電流、照射時間が表示される。一方行６７には、実際のＸ線撮影でＸ線源１０に与えた管電流、および照射時間が表示される。ＡＥＣ確認ウィンドウ６５は確認ボタン６８がカーソル４８でクリックされたときに閉じる。行６７の照射時間は、実際のＸ線の照射時間を計時するストップウォッチを線源制御装置に設けておき、Ｘ線撮影終了後ストップウォッチの計時結果を線源制御装置からコンソールに送ることで取得する。
【００６４】
ＡＥＣ機能が作動した場合、患者の体型がやせ型の場合は行６７の照射時間の値のほうが行６６ｂよりも若干短くなり、肥満型の場合は逆に若干長くなるが、行６６ｂと行６７の照射時間の値はだいたい同じになる。一方ＡＥＣ機能が何らかの故障で作動しなかった場合は、行６６ａと行６７の照射時間の値が同じになる。このようにＡＥＣ確認ウィンドウ６５を表示させることで、ＡＥＣ機能が確かに作動しているか否か、作動していた場合は照射時間が妥当な範囲に収まっているか否かを確認することができる。
【００６５】
上記実施形態では、コンソールと電子カセッテが別体である例で説明したが、コンソールは独立した装置である必要はなく、電子カセッテにコンソールの機能を搭載してもよい。同様に線源制御装置とコンソールを一体化した装置としてもよい。
【００６６】
上記実施形態では、撮影条件の表示の仕方として管電流と照射時間をそれぞれ別個に表示する形態を記載したが、これら管電流と照射時間に代えて、あるいは加えて、管電流と照射時間を積算した管電流照射時間積（ｍＡｓ値）を表示してもよい。また、照射時間ではなく管電流照射時間積に感度係数を乗算して各Ｘ線画像検出装置の撮影条件を算出し、これを表示してもよい。
【００６７】
さらに本発明は、Ｘ線に限らず、γ線等の他の放射線を使用する撮影システムにも適用することができる。
【符号の説明】
【００６８】
２  Ｘ線撮影システム
１０  Ｘ線源
１１  線源制御装置
１３ａ、１３ｂ、５５  電子カセッテ
１４  ＩＰカセッテ
１５  コンソール
１６  入力デバイス
１７  ディスプレイ
２０  ＣＰＵ
２２  ストレージデバイス
２３  通信Ｉ／Ｆ
２５  アプリケーションプログラム
３０  撮影条件テーブル
３５  感度係数テーブル
４０  撮影条件算出部
４１  入出力制御部
４５  撮影条件一覧／装置選択ウィンドウ
５６  液晶ディスプレイ
５８  ＬＥＤランプ
５９  スピーカー
６５  ＡＥＣ確認ウィンドウ
【図１】
0005612011.tif 000002
【図２】
0005612011.tif 000003
【図３】
0005612011.tif 000004
【図４】
0005612011.tif 000005
【図５】
0005612011.tif 000006
【図６】
0005612011.tif 000007
【図７】
0005612011.tif 000008
【図８】
0005612011.tif 000009
【図９】
0005612011.tif 000010